【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
試料スライド上に配置され、２つの異なる蛍光色素を用いて処理した蛍光サンプルを画像化し及び／又は測定するためのレーザスキャナ装置（１）であって、
（ａ）サンプル面（４９）にある試料スライド（８，１０）のためのレセプタクル（３４）を備えたモータ駆動可能なサンプルテーブル（２）と、
（ｂ）互いに平行に配向し、この面（４９）に対して平行に延びる異なる波長の２つのレーザビーム（５４，５５）を供給するための少なくとも１つのレーザ（５１，５２）および第１光学系（５３）と、
（ｃ）この面（４９）に対して平行に、ある運動方向（７５）に前後移動可能なスキャナヘッド（５０）であって、レーザビーム（５４，５５）をサンプルに向けて偏向するための光学偏向素子（５６）を有するスキャナヘッド（５０）を含むスキャナ手段（７２）と、
（ｄ）レーザビーム（５４，５５）を、面（４９）にあるサンプルに集光するための第１対物レンズ（５７）と、
（ｅ）サンプルにおいてレーザビーム（５４，５５）によって誘起され、第１対物レンズ（５７）および偏向素子（５６）によって偏向された発光ビーム束（５９，６０）を、面（４９）に対してほぼ平行な方向に検出器（６１，６１’）へ伝送するための第２光学系（５８）と、
（ｆ）サンプルから到来する異なる波長の発光ビーム束（５９，６０）を検出するための２つの検出器（６１，６１’）とを備え、
光学偏向素子（５６）は、互いに介在角度（β）で配置された前側および後側のダイクロイック面（６３，６４）を持つウェッジ形状のダイクロイックミラー（６２）を備え、
ウェッジ形状のダイクロイックミラー（６２）は、（ｉ）２つのレーザビーム（５４，５５）が一方の表面（６３，６４）でそれぞれ反射するように、（ｉｉ）ウェッジ形状のダイクロイックミラー（６２）は、介在角度（β）により、２つの焦光ポイント（６５）について距離δの空間分離および、検出器（６１，６１’）の方向に案内され、互いに非平行である２つの発光ビーム束（５９，６０）の空間分離を生じさせるように、調整されているレーザスキャナ装置（１）。
【請求項２】
光学偏向素子（５６）は、ウェッジ形状のダイクロイックミラー（６２）であり、あるいはウェッジ形状のダイクロイックミラー（６２）および単純ミラー（６７）を備えたペンタミラー配置（６６）として構成される請求項１記載のレーザスキャナ装置（１）。
【請求項３】
ウェッジ形状のダイクロイックミラー（６２）の後側ダイクロイック面（６４）は、第１レーザビーム（５４）を反射するように構成され、
前側ダイクロイック面（６３）は、第２レーザビーム（５５）および２つの発光ビーム束（５９，６０）を反射するように構成される請求項１記載のレーザスキャナ装置（１）。
【請求項４】
ウェッジ形状のダイクロイックミラー（６２）の後側ダイクロイック面（６４）は、第１レーザビーム（５４）および第１発光ビーム束（５９）を反射するように構成され、
前側ダイクロイック面（６３）は、第２レーザビーム（５５）および第２発光ビーム束（６０）を反射するように構成される請求項１記載のレーザスキャナ装置（１）。
【請求項５】
スキャナヘッド（５０）は、スキャナヘッド（５０）の運動方向（７５）を規定する直線ガイド（６８）に対して変位可能に取り付けられ、連結ロッド（７０）を介してスキャナ手段（７２）のドライブ（７１）と連結された連結ロッド係合ポイント（６９）を有する請求項１記載のレーザスキャナ装置（１）。
【請求項６】
スキャナヘッド（５０）の連結ロッド係合ポイント（６９）は、運動方向（７５）に、スキャナヘッド（５０）の重心（７４）と同じライン上で配置される請求項５記載のレーザスキャナ装置（１）。
【請求項７】
スキャナヘッド（５０）は、光学偏向素子（５６）および運動方向（７５）とともに走査面（７６）を規定し、
スキャナヘッド（５０）は、レーザスキャナ装置（１）の直線測定システム（７８）から離れて、この走査面（７６）内に配置された測定ロッド（７７）を備える請求項１記載のレーザスキャナ装置（１）。
【請求項８】
スキャナヘッド（５０）は、第１対物レンズ（５７）の主面（１０７）に少なくとも接近して配置された測定ロッド（７７）を備える請求項１記載のレーザスキャナ装置（１）。
【請求項９】
スキャナ手段（７２）は、直線ガイドに対して変位可能に取り付けられ、連結ロッド（７０’）を介してスキャナ手段（７２）のドライブ（７１）と連結された連結ロッド係合ポイント（６９’）を有するカウンタ振動子（７３）を備える請求項１記載のレーザスキャナ装置（１）。
【請求項１０】
サンプル面（４９）は、ほぼ水平に配置される請求項１記載のレーザスキャナ装置（１）。
【請求項１１】
スキャナヘッド（５０）の運動方向（７５）は、Ｘ軸または走査軸を規定し、
サンプルテーブル（２）は、これと直角に配置されたデカルト座標のＹ方向に直線移動可能である請求項６記載のレーザスキャナ装置（１）。
【請求項１２】
サンプルテーブル（２）は、モータ駆動の偏心器（８０）および片側ヒンジピン（８１）を持つ傾斜機構（７９）を備え、
該傾斜機構（７９）は、試料スライド（８，１０）またはサンプルを、集光ライン（１０１）に対して配向可能である請求項１記載のレーザスキャナ装置（１）。
【請求項１３】
レーザスキャナ装置（１）は、フレーム（８２）と、サンプルテーブル（２）がスピンドルドライブ（８４）を用いてＹ方向に直線移動可能になるサスペンション（８３）とを備え、
このサスペンション（８３）は、フレーム（８２）に対して旋回可能に取り付けられ、サンプルテーブルのレセプタクル（３４）およびサンプル面（４９）をほぼ垂直なＺ方向に調整するために利用可能なように構成され、フレーム（８２）に支えられたモータ駆動の偏心器（８０）の上に静止している請求項１記載のレーザスキャナ装置（１）。
【請求項１４】
サンプル試料スライド（８）またはテスト試料スライド（１０）を移送する目的で、サンプルテーブル（２）は、このタイプの試料スライド（８，１０）用の保管ユニット（４）の直前まで移動可能なように構成されている請求項１記載のレーザスキャナ装置（１）。
【請求項１５】
サンプルテーブルのレセプタクル（３４）は、（８）またはテスト試料スライド（１０）の２つの長手方向エッジ（１４）を受け入れるための２つの相互対向した溝（３５）を備える請求項１記載のレーザスキャナ装置（１）。
【請求項１６】
サンプルテーブル（２）は、試料スライド（８，１０）をクランプする方法で試料スライド表面に対してほぼ垂直な方向に確保するために、２つの静止ウエブ（３６）と、これらのウエブ（３６）に向けて弾力的に移動して、ウエブ（３６）の下側エッジとともに溝（３５）の開口幅を規定する２つの直立側壁（３８）を有する顎部（３７）とを備える請求項１５記載のレーザスキャナ装置（１）。
【請求項１７】
サンプルテーブル（２）は、試料スライド（８，１０）をクランプする方法で試料スライド表面に対してほぼ平行な方向に確保するために、試料スライドの長手方向エッジ（１４）の少なくとも１つに向けて移動可能であり、レセプタクル（３４）の開口幅を弾性的に区切る接触部品（３９）を備える請求項１５記載のレーザスキャナ装置（１）。
【請求項１８】
接触部品（３９）は、試料スライドの長手方向エッジ（１４）の少なくとも１つに向けて移動可能であり、ほぼ垂直な軸をそれぞれ有するロールとして構成される請求項１７記載のレーザスキャナ装置（１）。
【請求項１９】
保管ユニット（４）は、少なくとも１つの個別の支持ポイント（６）を有し、レーザスキャナ装置（１）の動作中に搬送装置（３）に対してアクセス可能である、サンプル試料スライド（８）用の個々のサンプル部分（７）と、テスト試料スライド（１０）用のテスト部分（９）とを含み、
テスト部分（９）は、１つ又はそれ以上のテスト試料スライド（１０）のためのテスト部分マガジン（９’）としてサンプル部分（７）とは分離しており、レーザスキャナ装置（１）に堅固に連結されており、その結果、テスト部分（９）に保管されたテスト試料スライド（１０）は、レーザスキャナ装置（１）の動作状態では、操作者に対して手動でアクセスできないようにした請求項１４記載のレーザスキャナ装置（１）。
【請求項２０】
レーザスキャナ装置（１）は、テスト試料スライド（１０）に基づいて実行される自動内部測定器検査を制御するように構成されたコントローラ（４０）を備える請求項１記載のレーザスキャナ装置（１）。
【請求項２１】
試料スライド上に配置され、２つの異なる蛍光色素を用いて処理した蛍光サンプルを画像化し及び／又は測定するためのレーザスキャナ装置（１）の動作方法であって、
（ａ）サンプル面（４９）にある試料スライド（８，１０）のためのレセプタクル（３４）を備えたモータ駆動可能なサンプルテーブル（２）を用意すること、
（ｂ）少なくとも１つのレーザ（５１，５２）および第１光学系（５３）を用いて、互いに平行に配向し、この面（４９）に対して平行に延びる異なる波長の２つのレーザビーム（５４，５５）を供給すること、
（ｃ）この面（４９）に対して平行に、ある運動方向（７５）に前後移動可能なスキャナヘッド（５０）を含むスキャナ手段（７２）の光学偏向素子（５６）を用いて、レーザビーム（５４，５５）をサンプルに向けて偏向すること、
（ｄ）第１対物レンズ（５７）を用いて、レーザビーム（５４，５５）を面（４９）にあるサンプルに集光すること、
（ｅ）第２光学系（５８）を用いて、サンプルにおいてレーザビーム（５４，５５）によって誘起され、第１対物レンズ（５７）および偏向素子（５６）によって偏向された発光ビーム束（５９，６０）を、面（４９）に対してほぼ平行な方向に検出器（６１，６１’）へ伝送すること、
（ｆ）２つの検出器（６１，６１’）を用いて、サンプルから到来する異なる波長の発光ビーム束（５９，６０）を検出することを含み、
使用する光学偏向素子（５６）は、互いに介在角度（β）で配置された前側および後側のダイクロイック面（６３，６４）を持つウェッジ形状のダイクロイックミラー（６２）であり、
ウェッジ形状のダイクロイックミラー（６２）は、（ｉ）２つのレーザビーム（５４，５５）が一方のダイクロイック表面（６３，６４）でそれぞれ反射するように、（ｉｉ）ウェッジ形状のダイクロイックミラー（６２）は、介在角度（β）により、２つの焦光ポイント（６５）について距離δの空間分離および、検出器（６１，６１’）の方向に案内され、互いに非平行である２つの発光ビーム束（５９，６０）の空間分離を生じさせるように、調整されているようにした方法。
【請求項２２】
ウェッジ形状のダイクロイックミラー（６２）および単純ミラー（６７）を備えたペンタミラー配置（６６）として構成された光学偏向素子（５６）を使用し、
このペンタミラー配置（６６）は、走査軸（７５）に対して直角に延びるＹ軸周りのスキャナヘッド（５０）の傾斜を補正し、得られる集光ポイント（６５）がサンプル面（４９）でこれらの現在位置を変化させないようにする請求項２１記載の方法。
【請求項２３】
スキャナヘッド（５０）は、光学偏向素子（５６）および運動方向（７５）とともに走査面（７６）を規定し、
スキャナヘッド（５０）のＸ軸（７５）への変位は、レーザスキャナ装置（１）の直線測定システム（７８）から離れて、この走査面（７６）内に配置された測定ロッド（７７）によって測定される請求項２１記載の方法。
【請求項２４】
スキャナヘッド（５０）のＸ軸（７５）への変位は、第１対物レンズ（５７）の主面（１０７）に少なくとも接近して配置された測定ロッド（７７）によって測定される請求項２１記載の方法。
【請求項２５】
試料スライド上に配置され、２つの異なる蛍光色素を用いて処理された蛍光サンプルを画像化及び／又は測定する際の公称解像度は、２．５μｍまたはこれより優れている請求項２１記載の方法。